(57)【要約】      （修正有）【課題】アームレストを水平に回転移動させて着座動作を円滑に行わしめるとともに、着座後の頭部の支持状態を適宜調整することのできる多機能チェアを提供する。【解決手段】サイドカバー１１付きのアームレスト１を、ベース７に形成された取付点Ｏ１を基点にして水平面内にて回転移動可能なように設ける。一方、背当部２の上端部に形成されるヘッドレスト部２１内にベースエレメント５及びスライダを設ける。ベースエレメント５に沿ってスライド移動が可能なように形成されたスライダのところに頭部支持用ピロー３を設ける。この頭部支持用ピロー３を上下方向に移動させることによって着座者の頭部支持が適宜微調整可能となる。【選択図】図１
0003200018.tif 000002
【実用新案登録請求の範囲】
【請求項１】
医療・福祉、あるいは美容・理容、更にはアミューズメント会場・施設にて用いられるチェアにおいて、着座者の腕部を支持するアームレストを、背当部側面部に設けられる取付点を基点にして略９０°水平方向に回転移動させることのできるようにするとともに、当該アームレストの側面部のところに下方に向って延伸するように形成されたサイドカバーを設けるようにした構成からなることを特徴とする多機能チェア。
【請求項２】
医療・福祉、あるいは美容・理容、更にはアミューズメント会場・施設にて用いられるチェアにおいて、当該チェアを形成する背当部の上端部のところに設けられる頭部支持用ピローの上下方向における設定位置を適宜調整することのできるようにした構成からなることを特徴とする多機能チェア。
【請求項３】
請求項２記載の多機能チェアにおいて、上記頭部支持用ピローのヘッドレスト部への取付けを、ヘッドレスト部内面側に形成されるテープ状のベースエレメントと、当該ベースエレメントと係合するものであって当該ベースエレメントに沿って移動が可能であるとともに適宜位置での固定が可能なように形成され、更には、上記頭部支持用ピローの取付けられる基礎となるスライダと、からなるようにしたことを特徴とする多機能チェア。
【請求項４】
請求項３記載の多機能チェアにおいて、上記ヘッドレスト部内面側への取付部を成すベースエレメント、並びに、当該ベースエレメントと係合するスライダを、難燃性素材にて形成されるテープファスナからなるようにしたことを特徴とする多機能チェア。
【考案の詳細な説明】
【技術分野】
【０００１】
本考案は、肘掛け部であるアームレストを水平方向に略９０°回転移動させることによって着座者の着座動作を円滑に行なわせるようにするとともに、ヘッドレストと背当部とが一体的に形成されたものの、そのヘッドレストの内側に設置されるピロー（頭部支持用）の上下方向位置を適宜微調整することのできるようにした多機能チェアに関するものである。
【背景技術】
【０００２】
従来の、この種のもの、例えば医療用あるいは理容用、または美容用のものとしては、単に背当部が後方に倒れるリクライニング式のもの等が挙げられる。
【先行技術文献】
【特許文献】
【０００３】
【特許文献１】特開２０００−１５２８４０号公報
【特許文献２】特開平９−２２０１３８号公報
【考案の概要】
【考案が解決しようとする課題】
【０００４】
ところで、上記従来のものにおいては、着座者の着座姿勢を水平状態に保持するリクライニング方式等が採用されるようになっているが、着座時においてアームレストが邪魔になり、着座動作を円滑に行ない得ないと言う問題点がある。また、一旦着座した状態において着座者が小物類等をシートクッション上に置いたような場合において、この小物類をシートクッションから落としてしまうと言うような問題点があった。このような問題点を解決するために、アームレストの脇のところに、小物類落下防止用のサイドカバーを設け、このようなサイドカバーの設けられたアームレストを水平方向に所定角度だけ回転移動させることができるようにして、着座者の着座動作が円滑に行なえるようにするとともに、一旦着座した状態、特に、着座者の姿勢を略水平状態にした寝かせた状態において、着座者の頭部支持位置を適宜調整することのできるようにした、医療用、あるいは美・理容用の多機能チェアを提供しようとするのが、本考案の目的（課題）である。
【課題を解決するための手段】
【０００５】
上記課題を解決するために、本考案においては次のような手段を講ずることとした。すなわち、請求項１記載の考案である第一の考案においては、医療・福祉、あるいは美容・理容、更にはアミューズメント会場・施設にて用いられる多機能チェアに関して、着座者の腕部を支持するアームレストを、背当部側面部に設けられる取付点を基点にして略９０°水平方向に回転移動させることのできるようにするとともに、当該アームレストの側面部のところに下方に向って延伸するように形成されたサイドカバーを設けるようにした構成を採ることとした。
【０００６】
次に、請求項２記載の考案である第二の考案においては、医療・福祉、あるいは美容・理容、更にはアミューズメント会場・施設にて用いられる多機能チェアに関して、多機能チェアを形成する背当部の上端部のところに設けられる頭部支持用ピローの上下方向における設定位置を適宜調整することのできるようにした構成を採ることとした。
【０００７】
次に、請求項３記載の考案である第三の考案においては、上記請求項２記載の多機能チェアに関して、上記頭部支持用ピローのヘッドレスト部への取付けを、ヘッドレスト部内面側に形成されるテープ状のベースエレメントと、当該ベースエレメントと係合するものであって当該ベースエレメントに沿って移動が可能であるとともに適宜位置での固定が可能なように形成され、更には、上記頭部支持用ピローの取付けられる基礎となるスライダと、からなるようにした構成を採ることとした。
【０００８】
次に、請求項４記載の考案である第四の考案においては、上記請求項３記載の多機能チェアに関して、上記ヘッドレスト部内面側への取付部を成すベースエレメント、並びに、当該ベースエレメントと係合するスライダを、難燃性素材にて形成されるテープファスナからなるようにした構成を採ることとした。
【考案の効果】
【０００９】
請求項１記載の考案である第一の考案においては、着座者の着座に当ってはアームレストを水平方向に回転させてアームレストを背当部側へ開かせた状態に展開させる。これによって、着座者は、アームレストに邪魔されることなく自身の腰並びに身体全体を座部（クッション）上に置く（載せる）ことができるようになる。すなわち、着座者の着座動作が円滑に行なえるようになる。そして、このようにして着座者の着座が終了した状態において、開かれていたアームレストを元の状態に戻すことによって、着座者の身体（体）はチェアに完全に保持されることとなり、着座者の着座姿勢が保持されることとなる。
【００１０】
また、第二の考案のものにおいては、背当部上端部に一体的に形成されたヘッドレスト部のところに設けられる頭部支持用ピローの、その上下位置が自由に調整できるようになっていることより、着座者の体型あるいはサイズ等に応じて、着座者の頭部支持が最適の状態に保持されることとなる。そして、このような調整作業は上記頭部支持用ピローを着座者の手でもって簡単に行なうことができるようになっているので、着座者は自分の好みに応じて自由に自己の頭部支持状態を微調整することができることとなる。
【００１１】
また、第三の考案のものも、上記第二の考案のものと同様、頭部支持用ピローの高さ調整を円滑に行なうことができることとなる。特に、本考案のものにおいては、頭部支持用ピローの取付構成が、テープ状のベースエレメントと、当該ベースエレメントと係合するスライダと、からなる特殊なテープファスナにて形成されていることより、これらテープファスナの設けられるヘッドレスト部の内側表面は凹凸の少ない滑らかな面が形成されることとなる。これによって、着座者の頭部は快適な状態で保持されることとなる。
【００１２】
また、第四の考案のものにおいては、頭部支持用ピローのヘッドレスト部内面への取付けを形成するテープファスナを難燃性の素材にて形成させるようにしたので、火災等の災害に対して優れた耐性を有することとなり、安全性においても優れた機能を発揮することとなる。
【図面の簡単な説明】
【００１３】
【図１】本考案にかかるアームレストの展開状態を示す図である。
【図２】両アームレスト間の幅を拡げた状態を示す図である。
【図３】両アームレスト間の幅を狭めた状態を示す図である。
【図４】頭部支持用ピローの取付けを高い位置に保持した状態を示す正面視図である。
【図５】頭部支持用ピローの取付けを高い位置に保持した状態を示す側面視図である。
【図６】頭部支持用ピローの取付けを低めの位置に保持した状態を示す正面視図である。
【図７】頭部支持用ピローの取付けを低めの位置に保持した状態を示す側面視図である。
【考案を実施するための形態】
【００１４】
本考案を実施するための形態について、図１ないし図７を基に説明する。本実施の形態にかかるものは、例えば図１に示す如く、座部６及び背当部２を基礎として、これらの両側面部のところに設けられるアームレスト１、１を主に形成されるチェアに関するものである。このような構成からなるものにおいて、本考案の第一の特徴とするところは、上記背当部２の両側面部のところに設けられるベース７、７を基礎にして、このベース７、７に形成される取付点Ｏ１、Ｏ１を基点に水平面内にて略９０°回転移動が可能なようにアームレスト１、１が設けられるようになっているものである。
【００１５】
なお、このようアームレスト１、１の側面部のところには、図１または図５に示す如くハードボード等からなるサイドカバー１１、１１が設けられるようになっている。このようなサイドカバー１１、１１を有する両アームレスト１、１が、例えば図１の実線図示の如く、通常状態（閉じた状態）にあっては、座部６、背当部２、両アームレスト１、１のそれぞれの側面部に設けられたサイドカバー１１、１１によって、ボックス状の立体空間が形成されることとなる。そして、このような空間内に着座者が着座した状態において、小物類等を座部６上であって、かつ、脇の方に置いた場合に、この小物類が上記サイドカバー１１、１１の作用により、座部６の外へと転がり落ちたりするのを抑止することができるようになる。
【００１６】
また、このような構成からなる両アームレスト１、１は、それぞれが、例えば図１における１Ｂ、１Ｃに示す如く、水平面内にて略９０°の範囲内にて回転移動させることができるようになっている。このように、それぞれのアームレスト１、１を回転移動させる、すなわち、開かせることによって、着座しようとする者の着座動作を円滑に行なわせることができるようになる。このようにして、着座者が着座した後においては、上記アームレスト１、１を、図１における１Ａの位置へと戻すことによって、着座者は背当部２、座部６等にて形成される空間内にゆったりとした状態で保持されることとなる。
【００１７】
このような構成からなるものにおいて、上記アームレスト１、１にて形成される、その横幅は、例えば、図２または図３に示すように、着座者の体型等に応じて、Ｄ１、Ｄ２と変えることができるようになっている。具体的には、上記アームレスト１、１は、その付け根部のところが、両ベース７、７に対して、回転中心点Ｏ１、Ｏ１を基点にして、回転移動が可能なようになっているとともに、これら両アームレスト１、１の取付けられるベース７、７自体も、その取付点Ｏ７、Ｏ７を基点にして回転運動が可能なようになっている。このよう構成を採ることによって、例えば、横幅の大きな体型の着座者の場合においては、図２に示す如く、両アームレスト１、１を平行なように拡げて、その間隔を、基準となるＤ０の値からＤ１の値となるように拡幅させる。これによって、横幅の大きい体型の者の着座が円滑に行なえることとなる。一方、横幅の小さな体型の着座者の場合においては、例えば図３に示す如く、上記両アームレスト１、１の間の幅を狭めて、通常のＤ０の値からＤ２の値となるように上記両アームレスト１、１を作動させる。これによって、横幅の小さな体型の者も、上記背当部２、座部６等にて形成される空間内に、しっくりと納まることとなる。このように、体型の異なる者の間においても適正な着座姿勢を採ることができるようになる。
【００１８】
次に、本多機能チェアにおけるヘッドレスト部２１内に設けられる頭部支持用ピロー３の構成及びその作動について、図４ないし図７を基に説明する。本実施の形態にかかるものは、例えば図４または図５に示す如く、背当部２の上端部に形成されたヘッドレスト部２１の、その内側表面側に設けられる頭部支持用ピロー３を主に形成されるものである。すなわち、クッション状の形態からなる頭部支持用ピロー３は、その裏面側のところが、凹面状の形態からなるヘッドレスト部２１の表面上にテープファスナ等からなる装着手段を介して取付けられるようになっているものである。
【００１９】
具体的には、図４または図５に示す如く、テープファスナを形成するテープ状のベースエレメント５が、上記ヘッドレスト部２１の内表面側のところに２本平行なように縫製手段あるいは貼付け手段を介して取付けられるようになっているものである。そして、このようなベースエレメント５、すなわち、ガイドレール的機能を発揮するそれぞれのベースエレメント５、５のところには、当該ベースエレメント５と噛合い係合するとともに、当該ベースエレメント５上をスライド移動するように形成されたスライダ５１が設けられるようになっている。このようなスライダ５１は、図４または図６に示す如く、一本のベースエレメント５のところに、２個上下方向に所定の間隔を有した状態で取付けられるようになっているものである。このような構成からなる上記４個のスライダ５１上には取付基板５５が設けられるようになっている。そして、このような取付基板５５上に、所定のファスナ、例えばスナップファスナ等を介して、頭部支持用ピロー３が取付けられるようになっている。なお、この頭部支持用ピロー３は着脱可能なようになっており、取外すことによってメンテナンス作業を容易に行なえることとなる。
【００２０】
このような構成を採ることにより、頭部支持用ピロー３は、着座者の手操作等によって、その上下方向位置を自由に設定することができる。例えば図４または図５に示す如く、スライダ５１に取付けられた取付基板５５を、ヘッドレスト部２１内に設置されたレール状のベースエレメント５に沿って上方へ引上げる、すなわち、スライド移動させる、ことによって、上記取付基板５５上に取付けられた頭部支持用ピロー３は、図４または図５に示す如く、上記ヘッドレスト部２１内において比較的上方の位置に固定されることとなる。これによって、着座者の頭部上方部のところが支持されることとなる。
【００２１】
これに対して、例えば図６に示す如く、上記取付基板５５を上記ベースエレメント５に沿って下方へと引き降ろすことによって、ベースエレメント５と係合するスライダ５１のところに取付けられた取付基板５５は下方へとスライド移動することとなる。その結果、当該取付基板５５上に取付けられた頭部支持用ピロー３は、図６または図７に示す如く、ヘッドレスト部２１内にて下方の位置へと降ろされることとなる。このようにして、上記頭部支持用ピロー３は、着座者の比較的首に近いところを支持するようになる。このように、本実施の形態のものにおいては、上記頭部支持用ピロー３の上下方向位置（高さ）を自由に設定することができ、これによって、着座者に常に快適な着座姿勢を採らせることができるようになる。
【符号の説明】
【００２２】
１  アームレスト
１１  サイドカバー
２  背当部
２１  ヘッドレスト部
３  頭部支持用ピロー
５  ベースエレメント
５１  スライダ
５５  取付基板
６  座部
７  ベース
【図１】
0003200018.tif 000003
【図２】
0003200018.tif 000004
【図３】
0003200018.tif 000005
【図４】
0003200018.tif 000006
【図５】
0003200018.tif 000007
【図６】
0003200018.tif 000008
【図７】
0003200018.tif 000009
【手続補正書】
【提出日】平成27年7月23日(2015.7.23)
【手続補正１】
【補正対象書類名】実用新案登録請求の範囲
【補正対象項目名】請求項２
【補正方法】変更
【補正の内容】
【請求項２】
医療・福祉、あるいは美容・理容、更にはアミューズメント会場・施設にて用いられるチェアにおいて、当該チェアを形成する背当部の上端部のところに設けられる頭部支持用ピローの上下方向における設定位置を適宜調整することのできるようにした構成からなることを特徴とする請求項１記載の多機能チェア。